(57)【特許請求の範囲】
【請求項１】
管状のインク室（１）と、
該インク室（１；１０１）内に配置され、前端にペン先（１０、１１０）が取り付けられたインクガイド（５、５’；１０５）と、
該インクガイド（５，５’；１０５）の後端に配置されたインクカートリッジ（２３；１２３）の形状のインク貯蔵部（２３；１２３）とを有し、
該インクガイド（５，５’；１０５）は、その前端領域が該インク室（１；１０１）の前端から突出する筆記位置と、該インクガイド（５、５’；１０５）の該前端領域および該インクガイド（５、５’；１０５）に取り付けられた該ペン先（１０、１１０）が該インク室（１；１０１）に後退する保管位置との間で置き換え移動可能であり、
該インクガイド（５，５’；１０５）が、該保管位置から、該インクガイド（５，５’；１０５）に固定された該インクカートリッジ（２３；１２３）の後端領域が、該インク室（１；１０１）の後端から突出する交換位置に置き換え移動され得る、万年筆。
【請求項２】
位置決めスリーブ（１４；１１４）が、前記インク室（１；１０１）内で回転可能であるが、軸上で置き換え移動できないように配置され、前記インクガイド（５、５’；１０５）に置き換え移動できないように接続された少なくとも１つのキャッチ（１２、１３；１１２、１１３）が係合するねじ状のトラック（１５、１６；１１５、１１６）を有する、請求項１に記載の万年筆。
【請求項３】
前記トラック（１５、１６；１１５、１１６）が二重ねじの形状を有し、２つのキャッチ（１２、１３；１１２、１１３）が前記インクガイド（５、５’；１０５）上で互いに直径方向に対向して配置されている、請求項２に記載の万年筆。
【請求項４】
前記少なくとも１つのキャッチ（１２、１３；１１２、１１３）がブッシュ部（１１；１１１、１１１’）上に設けられ、該ブッシュ部（１１；１１１、１１１’）が前記インクガイド（５、５’；１０５）の前記後端に取り付けられている、請求項２または３に記載の万年筆。
【請求項５】
前記少なくとも１つのキャッチ（１２、１３）のための支持面が、前記トラック（１５、１６）の前端（１５ｂ、１６ｂ）に設けられている、請求項２から４の１つに記載の万年筆。
【請求項６】
前記インク室（１；１０１）が、該インク室（１；１０１）の前記前端を取り囲むカバーキャップ（１３５）を収容するための前部外側ねじ（４；１０４）を有する、請求項２から５の１つに記載の万年筆。
【請求項７】
前記インク室（１；１０１）が、該インク室（１；１０１）の前記前端を取り囲むカバーキャップ（１３５）を収容するための前部外側ねじ（４；１０４）を有し、該カバーキャップ（１３５）を収容するための後部外側ねじ（１３１）が、前記位置決めスリーブ（１１４）の後端に設けられている、請求項２から５の１つに記載の万年筆。
【請求項８】
前記後部外側ねじ（１３１）のコア径および／または前記カバーキャップ（１３５）の内側ねじの外径が、前記位置決めスリーブ（１１４）と該位置決めスリーブ（１１４）にねじ込まれた該カバーキャップ（１３５）との間で確立されるクランプ力が前記インクガイド（１０５）を前記筆記位置から前記保管位置に置き換え移動されるために該カバーキャップ（１３５）上にかけられる力よりも大きくなるように、軸方向に変化する、請求項７に記載の万年筆。
【請求項９】
前記カバーキャップ（１３５）の前記内側ねじの前記外径が、１０゜と１６゜との間（好ましくは、１２゜）の円錐形開口角の進路が現れるように、開口端から閉鎖端へと低減し、前記後部外側ねじ（１３１）の前記コア径が一定である、請求項８に記載の万年筆。
【請求項１０】
前記前部外側ねじ（１０４）のコア径が、前記カバーキャップ（１３５）の前記内側ねじの前記外径と実質的に同じピッチで後部から前部に低減する、請求項９に記載の万年筆。
【請求項１１】
前記トラック（１５、１６）が、低減されたピッチを有し、前記保管位置を規定する少なくとも１つのセクション（１５ａ、１６ａ）を有する、請求項２から１０の１つに記載の万年筆。
【請求項１２】
旋回可能な閉塞キャップ（２０；１２０）が、前記インク室（１）の前記後端に設けられている、請求項１から１１の１つに記載の万年筆。
【請求項１３】
旋回可能な閉塞キャップ（２０；１２０）が、前記インク室（１）の前記後端に設けられており、該閉塞キャップ（２０；１２０）が、前記位置決めスリーブ（１４；１１４）の前記後端に固定されている、請求項２から１１の１つに記載の万年筆。
【請求項１４】
前記保管位置が、前記インクカートリッジ（１２３）の後端の前記閉塞キャップ（１２０）の前面に対する当接によって規定される、請求項１２または１３に記載の万年筆。
【請求項１５】
同軸上に延びる支持ピン（１３７）が、カバーキャップ（１３５）の基部に設けられ、該支持ピン（１３７）の自由端が、該カバーキャップ（１３５）が前記後部外側ねじ（１３１）にねじ込まれるとき、前記閉塞キャップ（１２０）の後面のすぐ脇に配置され、前記インクカートリッジ（１２３）の後端を介して該閉塞キャップ（１２０）にかけられる圧力によって該閉塞キャップ（１２０）が開くのを防止する、請求項１２から１４の１つに記載の万年筆。
【請求項１６】
前記カバーキャップ（１３５）が前記前部外側ねじ（１０４）にねじ込まれるとき、前記支持ピン（１３７）の前記自由端は、前記インクガイド（１０５）がさらに前方に置き換え移動されないように突っ張って、該インクガイド（１０５）の支持面と係合し、該インクガイド（１０５）が前記筆記位置の方向に置き換え移動されるとき、前記ペン先（１１０）の先端は、該カバーキャップ（１３５）の基部からある距離をおいて保持される、請求項１５に記載の万年筆。
【請求項１７】
前記支持面が、前記インクガイド（１０５）に設けられた、支持ピン（１３７）の自由端に当接するためのボアの底面によって形成される、請求項１６に記載の万年筆。
【発明の詳細な説明】
【０００１】
【発明の属する技術分野】
本発明は、管状のインク室と、前端にペン先が取り付けられ、インク室内に配置されたインクガイドと、インクガイドの後端に固定されたインクカートリッジの形状のインク貯蔵部とを有し、インクガイドが、その前端領域がインク室の前端から突出する筆記位置と、インクガイドの前端領域および該前端領域に取り付けられたペン先がインク室に後退する保管位置との間で置き換え移動可能である万年筆に関する。
【０００２】
【従来の技術】
この種の公知の万年筆（フランス特許出願公開第１５３９２７６号、米国特許第３，２０３，４０３号）では、新しいインクカートリッジの固定および空のカートリッジの除去は、インクカートリッジにアクセスでき、インクカートリッジをつかんで引っぱり出すことができるように、管状のインク室の後部がその前部から除去され、新しいインクカートリッジがインクガイドの後端領域に固定されるように行われる。
【０００３】
【発明が解決しようとする課題】
本発明の目的は、インクカートリッジを容易に交換できるように、後退可能なインクガイドおよびインクガイドと共に後退可能なペン先を有する万年筆を設計することである。
【０００４】
【課題を解決するための手段】
管状のインク室（１）と、該インク室（１；１０１）内に配置され、前端にペン先（１０、１１０）が取り付けられたインクガイド（５、５’；１０５）と、該インクガイド（５，５’；１０５）の後端に配置されたインクカートリッジ（２３；１２３）の形状のインク貯蔵部（２３；１２３）とを有し、該インクガイド（５，５’；１０５）は、その前端領域が該インク室（１；１０１）の前端から突出する筆記位置と、該インクガイド（５、５’；１０５）の該前端領域および該インクガイド（５、５’；１０５）に取り付けられた該ペン先（１０、１１０）が該インク室（１；１０１）に後退する保管位置との間で置き換え移動可能であり、該インクガイド（５，５’；１０５）が、該保管位置から、該インクガイド（５，５’；１０５）に固定された該インクカートリッジ（２３；１２３）の後端領域が、該インク室（１；１０１）の後端から突出する交換位置に置き換え移動され得る、万年筆が提供される。
【０００５】
１つの実施態様において、位置決めスリーブ（１４；１１４）が、前記インク室（１；１０１）内で回転可能であるが、軸上で置き換え移動できないように配置され、前記インクガイド（５、５’；１０５）に置き換え移動できないように接続された少なくとも１つのキャッチ（１２、１３；１１２、１１３）が係合するねじ状のトラック（１５、１６；１１５、１１６）を有する。
【０００６】
１つの実施態様において、前記トラック（１５、１６；１１５、１１６）が二重ねじの形状を有し、２つのキャッチ（１２、１３；１１２、１１３）が前記インクガイド（５、５’；１０５）上で互いに直径方向に対向して配置されている。
【０００７】
１つの実施態様において、前記少なくとも１つのキャッチ（１２、１３；１１２、１１３）がブッシュ部（１１；１１１、１１１’）上に設けられ、該ブッシュ部（１１；１１１、１１１’）が前記インクガイド（５、５’；１０５）の前記後端に取り付けられている。
【０００８】
１つの実施態様において、前記少なくとも１つのキャッチ（１２、１３）のための支持面が、前記トラック（１５、１６）の前端（１５ｂ、１６ｂ）に設けられている。
【０００９】
１つの実施態様において、前記インク室（１；１０１）が、該インク室（１；１０１）の前記前端を取り囲むカバーキャップ（１３５）を収容するための前部外側ねじ（４；１０４）を有する。
【００１０】
１つの実施態様において、前記カバーキャップ（１３５）を収容するための後部外側ねじ（１３１）が、前記位置決めスリーブ（１１４）の後端に設けられている。
【００１１】
１つの実施態様において、前記後部外側ねじ（１３１）のコア径および／または前記カバーキャップ（１３５）の内側ねじの外径が、前記位置決めスリーブ（１１４）と該位置決めスリーブ（１１４）にねじ込まれた該カバーキャップ（１３５）との間で確立されるクランプ力が前記インクガイド（１０５）を前記筆記位置から前記保管位置に置き換え移動されるために該カバーキャップ（１３５）上にかけられる力よりも大きくなるように、軸方向に変化する。
【００１２】
１つの実施態様において、前記カバーキャップ（１３５）の前記内側ねじの前記外径が、１０゜と１６゜との間（好ましくは、１２゜）の円錐形開口角の進路が現れるように、前部から後部へと低減し、前記後部外側ねじ（１３１）の前記コア径が一定である。
【００１３】
１つの実施態様において、前記前部外側ねじ（１０４）のコア径が、前記カバーキャップ（１３５）の前記内側ねじの前記外径と実質的に同じピッチで後部から前部に低減する。
【００１４】
１つの実施態様において、前記トラック（１５、１６）が、低減されたピッチを有し、前記保管位置を規定する少なくとも１つのセクション（１５ａ、１６ａ）を有する。
【００１５】
１つの実施態様において、旋回可能な閉塞キャップ（２０；１２０）が、前記インク室（１）の前記後端に設けられている。
【００１６】
１つの実施態様において、前記閉塞キャップ（２０；１２０）が、前記位置決めスリーブ（１４；１１４）の前記後端に固定されている。
【００１７】
１つの実施態様において、前記保管位置が、前記インクカートリッジ（１２３）の後端の前記閉塞キャップ（１２０）の前面に対する当接によって規定される。
【００１８】
１つの実施態様において、同軸上に延びる支持ピン（１３７）が、前記カバーキャップ（１３５）の基部に設けられ、該支持ピン（１３７）の自由端が、該カバーキャップ（１３５）が前記後部外側ねじ（１３１）にねじ込まれるとき、前記閉塞キャップ（１２０）の後面のすぐ脇に配置され、前記インクカートリッジ（１２３）の後端を介して該閉塞キャップ（１２０）にかけられる圧力によって該閉塞キャップ（１２０）が開くのを防止する。
【００１９】
１つの実施態様において、前記カバーキャップ（１３５）が前記前部外側ねじ（１０４）にねじ込まれるとき、前記支持ピン（１３７）の前記自由端は、前記インクガイド（１０５）がさらに前方に置き換え移動されないように突っ張って、該インクガイド（１０５）の支持面と係合し、該インクガイド（１０５）が前記筆記位置の方向に置き換え移動されるとき、前記ペン先（１１０）の先端は、該カバーキャップ（１３５）の基部からある距離をおいて保持される。
【００２０】
１つの実施態様において、前記支持面が、前記インクガイド（１０５）に設けられためくらボアの底面によって形成される。
【００２１】
以下、本発明の作用を説明する。
【００２２】
上記目的を達成するために、冒頭で言及したこの種の万年筆は、インクガイドが、保管位置から、インクガイド内またはインクガイド上に固定されたインクカートリッジの後端がインク室の後端から突出する交換位置に置き換え移動され得るように、本発明により設計される。
【００２３】
従って、本発明による万年筆には、今日通例のように、インクカートリッジが固定されている。インクカートリッジは、インク貯蔵部を形成し、通例の様式では、インクカートリッジからのインクが、インクガイドの中央開口部からインクガイドに入り、ペン先に向かって前方に通過し得るように、インクガイドの後端に交換可能に配置されている。しかし、インク室を解体せずに（従って、特に簡単な方法で）インクカートリッジの交換を可能にするために、インクガイドは、固定されたインクカートリッジ全体がインク室内に配置される保管位置から後方に向かって置き換え移動され得る交換位置を有する。この交換位置では、インクカートリッジの後端は、インク室の後端から突出するので、ユーザは、インクカートリッジをつかみ、インクガイドの後端から引っ張り出して、新しい完全なインクカートリッジと交換することができる。
【００２４】
好ましい設計において、旋回可能な閉塞キャップは、インク室の後端に設けられ、通常の動作では、インク室の開口部は、この閉塞キャップによって覆われる。これに対して、インクガイドが保管位置から交換位置に置き換え移動される場合、閉塞キャップはその開口位置に移動され、インク室の後端は、インクカートリッジが通過できるように開口する。
【００２５】
筆記位置、保管位置、および交換位置間のインクガイドの置き換え移動を容易にするために、位置決めスリーブは、インク室内で回転可能であるが、軸上で置き換え移動されないように配置され得、ねじ状のトラックを有し、このトラックには、インクガイドに置き換え移動できないように接続された少なくとも１つのキャッチが係合する。このように、位置決めスリーブが回転すると、キャッチは、位置決めスリーブに対してらせん状に置き換え移動し、これに対応して、インクガイドは軸上で置き換え移動する。
【００２６】
トラックが二重ねじの形状を有し、２つのキャッチがインクガイド上で直径方向に互いに対向して配置される場合、特に均一な置き換え移動がなされる。
【００２７】
インクガイドの簡単な構築を成し遂げるために、この少なくとも１つのキャッチは、インクガイドの後端に取り付けられたブッシュ部上に設けられ得る。これによって、インクガイドは通例の要件に従って開発され、製造され得る。一方、ブッシュ部は、個別の手法において、完成したインクガイドに接続される。
【００２８】
使用中に保管位置が達成されたことをユーザが知り、１つまたは他の方向への置き換え移動を中断することができるように、トラックは、低減されたピッチを有し、保管位置を規定する少なくとも１つのセクションを有し得る。
【００２９】
上記の少なくとも１つのキャッチに対する支持面がトラックの前端に存在し得、この支持面を介して、使用中に発生し、インクガイドに作用する筆圧が吸収される。
【００３０】
特に好ましい設計において、閉塞キャップは、位置決めスリーブの後端に固定され、ユーザは、開口位置に移動した閉塞キャップをつかむことができ、これによって、位置決めスリーブを回転させ、インクガイドを所望の位置に置き換え移動されることができる。
【００３１】
万年筆に関して通例のように、インク室は、前端を閉塞するカバーキャップを収容するための前部外側ねじを有し得る。しかし、必要に応じて、カバーキャップはまた、カバーキャップを前端に対して簡単に押すだけで取り付けられ得る。
【００３２】
ねじ込み可能なカバーキャップが設けられる場合、後部外側ねじは、カバーキャップを収容するための位置決めスリーブの後端領域に設けられ得る。このように、カバーキャップは、回転可能な位置決めスリーブと連結され得、位置決めスリーブは、カバーキャップを回転させることによって回転し得る。
【００３３】
カバーキャップおよび位置決めスリーブが、インクガイドを筆記位置から保管位置に置き換え移動する方向に回転されるときに、保管位置が達成される前に、カバーキャップが位置決めスリーブからはずれないようにするため、後部外側ねじのコア直径および／またはカバーキャップの内側ねじの外径は、位置決めスリーブと位置決めスリーブにねじ込まれたカバーキャップとの間で確立されるクランプ力がインクガイドを筆記位置から保管位置に置き換え移動されるためにカバーキャップにかけられる力よりも大きくなるように、軸延長方向に変化し得る。後部外側ねじのコア径は好ましくは一定で、カバーキャップの内側ねじの外径は、円錐形開口角が１０゜と１６゜との間（好ましくは１２゜）で、前部から後部へのテーパリングがなされるように変化する。この場合、前部外側ねじは、好ましくは、後部から前方へと実質的に同じピッチで形成され、この領域でクランプ力が増加するのを防止している。
【００３４】
後部外側ねじとカバーキャップの内側ねじとの間で確立されたクランプ力によって、カバーキャップと位置決めスリーブが連結され、これによって、カバーキャップを回転させて、筆記位置から保管位置にインクガイドを置き換え移動することが確実にでき、インクガイドが保管位置に到達したときのみ、カバーキャップは位置決めスリーブからねじ解除される。次に、取り外されたカバーキャップは、ペン先およびインクガイドからその内部またはその上のインクが乾燥するのを防止するために、前部外側ねじにねじ込まれ得る。
【００３５】
前述のように、トラックは、低減されたピッチを有し、保管位置を規定する少なくとも１つのセクションを有し得、インクガイドが筆記位置から保管位置に置き換え移動されるとき、ユーザは、保管位置が達成されたことを検出することができ、位置決めスリーブがカバーキャップを収容およびクランプ留めするための後部外側ねじを有する場合、カバーキャップが後部外側ねじからはずれるようにさらに置き換え移動する抵抗力を発生する。
【００３６】
閉塞キャップが位置決めスリーブの後端に旋回可能に固定されている場合、トラック内の低減されたピッチを有するセクションによる保管位置の規定または確立はなしで済まされ得、保管位置は、インクカートリッジの後端が閉塞キャップの前面に対して当接することによって規定され得る。
【００３７】
インクカートリッジの後端が閉塞キャップに当接することによって、インクガイドをさらに後方に置き換え移動されることに対してある抵抗力が発生される場合、カバーキャップは、通常、後部外側ねじから分離されるが、インクカートリッジが閉塞キャップに対する当接にもかかわらず、カバーキャップと後部外側ねじとの間のクランプ力は特有の場合に非常に大きくなり、ユーザがインクガイドおよびインクカートリッジをさらに後部に置き換え移動され、それによって閉塞キャップが開口されることも可能である。このようなことを防止し、規定の保管位置を成し遂げるために、同軸上に延びる支持ピンは、カバーキャップの基部に設けられ得、その自由端は、カバーキャップが後部外側ねじにねじ込まれるとき、閉塞キャップの後面のすぐ脇に配置され、インクカートリッジの後端を介して閉塞キャップにかけられる圧力の結果、閉塞キャップが開口するのを防止する。このように、支持ピンは、位置決めスリーブ上にかけられるトルクによって、インクガイドおよびインクカートリッジがさらに後方に置き換え移動される方向に力が発生するとき、閉塞キャップが開口するのを阻止する。この結果、閉塞キャップは開口することができなくなり、むしろ、ユーザによってカバーキャップにかけられるトルクによって、カバーキャップは後部外側ねじからはずされる。
【００３８】
カバーキャップの基部に支持ピンを設けるとさらに以下のような利点がある。即ち、カバーキャップが前部外側ねじにねじ込まれると、その自由端は、インクガイドがさらに前方へ置き換え移動しないように突っ張って、インクガイドの支持表面と係合し、インクガイドが筆記位置の方向に置き換え移動するとき、ペン先の先端は、カバーキャップの基部からある距離を置いて保たれる。支持表面は、インクガイド中のめくらボアの底面からなり得る。
【００３９】
カバーキャップが前部外側ねじにねじ込まれるとき、ユーザが例えば閉塞キャップの領域において位置決めスリーブをつかむことによって位置決めスリーブを回転させる場合、これによってユーザは、ペン先の先端がカバーキャップの基部壁に接触するほどペン先を保管位置から筆記位置の方向にさらに移動するのが防止される。さもなければ、先端は損傷し得る。特に、ペン先の先端と基部壁との間の接触によって、得られる毛管効果のために、インクがインクガイドからペン先の先端を介してカバーキャップの内部に放出されるという危険が伴う。言うまでもなく、これはかなりのインクのしみにつながる。
【００４０】
【発明の実施の形態】
以下、実施態様を示す図面を用いて本発明をさらに詳細に説明する。
【００４１】
図示する万年筆は、前端に開口部２を有する管状のインク室１を有し、開口部の直径は、インク室１の近傍セクションの正味の直径に対していくぶんか低減されている。前部領域では、外側ねじ４が開口部２からある距離をおいてインク室１上に形成され、外側ねじ４上には、カバーキャップ（図示されない）が通常の様式でねじ込まれ得る。
【００４２】
インク室１の前部には、通例のインクガイドが配置されている。インクガイドは、インクガイドスリーブ５’とインクガイドスリーブ５’に固定されたインクガイド固定具５とからなる。図１から図３において、インクガイド固定具５の前端領域に形成されたひれ状部６が観察できる。ひれ状部６は、毛管作用によってインクを保持し、通例の圧力等化システムの一部を示す。ひれ状部６から半径方向に対向する側では、ペン先１０が、通例のように、インクガイド固定具５とインクガイドスリーブ５’との間で取り外し可能にクランプ留めされ、その前端は、インクガイド固定具５の前端を超えて突出している。インクガイドスリーブ５’の前端領域には、管状の肩部８がある。肩部８は、図１による筆記位置では、開口部２を取り囲むインク室１の後退領域に対して位置し、それによって、インクガイドおよびペン先１０の前端位置を規定する。環状肩部８と、それよりさらに後ろに位置する近傍の環状肩部との間には、インクガイドスリーブ５’がシーリングリングを保持している。
【００４３】
インクガイドスリーブ５’の後端では、軸上の円筒形の突出部７が、通例の様式で形成されている。突出部７には、通例のインクカートリッジ２３（例えば、いわゆるヨーロッパカートリッジ（Euro cartridge）のネックセクションが固定され、インクカートリッジ２３のネックセクションは、突出部７にクランプ留めされるように保持され、突出部７はまた、インクカートリッジが固定されると、そのシールを開口する、即ち、突き通す。インクカートリッジ２３の内部は、インクガイドスリーブ５’の同軸上の内部ボア（図示されない）に突出部７を介して接続されているので、このようなインクガイドの通例の様式では、ペン先１０への接続は、インクガイド固定具５およびとりわけひれ状部６を含む圧力等化システムを介してなされる。
【００４４】
ブッシュ部１１は、インクガイドスリーブ５’の後部領域９に固定され、その前部は、突出部７に接合し、例えば、ねじによってインクガイドスリーブ５’に接続されている。ブッシュ部１１の後部領域は、インクカートリッジ２３の前部領域に対して円筒状のガイドセクションを形成している。ブッシュ部１１の後端では、２つのキャッチ１２、１３が直径方向に互いに対向するように形成され、放射状に外側に突出し、例えば、円形断面を有する。キャッチ１２、１３の機能については後述する。
【００４５】
円筒形位置決めスリーブ１４は、後部からインク室１に挿入され、その前端をインク室１の内部環状肩部に置いて、この領域で金属リングによって取り囲まれている。さらに後部に位置する領域では、位置決めスリーブ１４は環状肩部を有し、この環状肩部には、後ろからインク室１に固定され、外側に方向づけられた環状肩部をその後端に置いて位置するスリーブ部１７の環状肩部が位置する。インク室１およびスリーブ部１７は、例えば、ねじによって互いに強く接続されている。このように、位置決めスリーブ１４は、インク室１の内部環状肩部と、スリーブ部１７の環状肩部との間で軸上に置き換え移動可能ではないが、回転可能に位置している。
【００４６】
位置決めスリーブ１４は、後部セクションがスリーブ部１７の後端を超えるように突出し、スリーブ部材１８は、このセクションに固定され、例えば、位置決めスリーブ１４にねじ込まれている。閉塞キャップ２０は、スリーブ部材１８の周りで旋回できるように、旋回軸１９によってスリーブ部材１８に固定されている。閉塞キャップ２０は、内部に設けられた環状溝に、固定状態においていくぶん弾性的に圧縮されるスナップリング２２を保持する。閉塞キャップ２０が閉じているとき、旋回軸１９の近傍のスナップリング２２の領域は、スリーブ部材１８の後方に突出した領域に形成されたくぼみに係合するので、閉塞キャップ２０は規定の閉塞位置となる。
【００４７】
上記の環状肩部間の領域では、位置決めスリーブ１４は、同じピッチを有し、１８０゜オフセットした２つのねじ形状のカット１５、１６を有し、その前端には、直線上の導入セクション１５ｂ、１６ｂ（図５）が形成されている。ねじ形状のカット１５、１６は、約３６０゜にわたって形成され、その端部には、周囲方向に延びる端部セクション１５ｃ、１６ｃを有する。カット１５、１６の中央領域では、ほぼ周囲方向にわたる短い中間セクション１５ａ、１６ａが形成されている。２つの中間セクション１５ａ、１６ａおよび２つの端部セクション１５ｃ、１６ｃは、それぞれ、同じ軸上の高さにある。
【００４８】
図１から図３に示すように、ブッシュ部１１の円形円筒形突出肩部１２、１３は、カット１５、１６へ延び、これらのカットへのキャッチ１２、１３の導入は、位置決めスリーブ１４の前端に形成され、前部に開口した導入セクション１５ｂ、１６ｂを介して行われる。図１から図３に示す金属リングは、カットセクション１５ｂ、１６ｂの領域で位置決めスリーブ１４を取り囲み、万年筆が組み立てられたときに、キャッチ１２、１３が、カット１５、１６の前端から飛び出さないようにしている。即座に理解できるように、キャッチ１２、１３は、位置決めスリーブ１４をスリーブ部１内で回転させることによって、ねじ形状のカット１５、１６に沿って置き換え移動され、インクガイド５、５’およびペン先１０もまた、インク室１に対する軸上の移動を行っている間に置き換え移動される。
【００４９】
図１から図３において、異なる位置に移動させると、ペン先１０が常に図示する位置に維持されるように、位置決めスリーブ１４は、インクガイド５、５’およびブッシュ部１１の周りを回転することが想定されていると言ってもよい。
【００５０】
図１による筆記位置では、キャッチ１２、１３は、使用中に発生する最も前端位置に位置し、インクガイドスリーブ５’は、その環状肩部８を、インク室１の前端に形成された開口部２のくぼみに置いて位置する。これによって、インクガイド５、５’はさらに前方に置き換え移動されることはできない。この位置では、キャッチ１２、１３は、導入セクション１５ｂ、１６ｂと、導入セクション１５ｂ、１６ｂに接続するカット１５、１６との間の移行領域に位置する。この移行領域では、図５に示すように、各導入セクション１５ｂ、１６ｂの後縁部または支持表面は、周囲方向にわたり、図１による筆記位置では、導入セクション１５ｂ、１６ｂは、キャッチ１２、１３を支持する。従って、ペン先１０に作用する筆記圧力は、これらの周囲縁部または表面でキャッチ１２、１３を支持することによって吸収される。
【００５１】
インクガイド５、５’を図２による保存位置に移動させるために、ユーザは、シーリングキャップ２０を開けて、シーリングキャップ２０をつかんで、それによって、インク室１内で位置決めスリーブ１４を回転させることができる。それによって、キャッチ１２、１３は、周囲方向にわたる中間セクション１５ａ、１６ａの領域に到達するまで、カット１５、１６に沿って後方に置き換え移動され、位置決めスリーブ１４が回転したときのわずかな「アイドリング」がユーザによって検出され、ペン先１０の前端が、スリーブ部１の前端を超えてこれ以上突出しない図２による保管位置が達成されたことがユーザに示される。次に、ユーザは、図２に示す位置が得られるように再びシーリングキャップ２０を閉め、対応するカバーキャップ（図示していない）を外側ねじ４にねじ込むことができる。
【００５２】
対応する逆の移動シーケンスによって、図示する万年筆は、再び、図１による筆記位置に戻され得る。
【００５３】
インクカートリッジ２３が空であるか、または他の理由で交換される場合、ユーザは再びシーリングキャップ２０を開き、インクガイド５、５’を筆記位置（図１）から保管位置（図２）に置き換え移動するときと同じ方向に位置決めスリーブ１４を回転させ、キャッチ１２、１３は、周囲方向にわたる端部セクション１５ｃ、１６ｃ（この端部は置き換え移動を制限する）に入るまでカット１５、１６に沿って中間セクション１５ａ、１６ａからさらに後部に置き換え移動される。これによって、インクカートリッジ２３の後端領域がインク室１の後端およびインク室１に接続した構成要素、即ち、スリーブ部１７、位置決めスリーブ１４およびスリーブ部材１８から突出する図３による交換位置が達成され、この後端領域をつかんで、インクカートリッジ２３を除去することが可能になる。新しいインクカートリッジ２３が固定された後、位置決めスリーブ１４を回転させることによって、インクガイド５、５’は前方に向かって図２の保管位置または即座に図１の筆記位置に置き換え移動される。
【００５４】
図６から図８による万年筆は、図１から図５からの万年筆と同様に構築され、図１から図５のパーツと同じパーツ、または図１から図５に示すパーツと同じ機能を有するパーツおよび部材には、図６から図８に示すように、「１００」を足した同じ参照符号が付してある。これらについては、再び記載しない。
【００５５】
図６から図８による実施態様において、図１から図５による実施態様であって、図５に示す実施態様において設けられている、インクガイド５、５’の保管位置を規定する位置決めスリーブ１４におけるトラック１５、１６の中間セクション１５ａ、１５ｂはない。さらに、図６から図８による実施態様では、インクガイド１０５は、簡略化された形態で示され、インクガイド１０５に固定されたブッシュ部は、インクガイド１０５の後端１０７を取り囲み、インクカートリッジ１２３を収容するための突出部を形成する内部ブッシュ部１１１と、内部ブッシュ部１１１に強固に接続され、互いに対向し、放射状に外側に突出するキャッチ１１２、１１３が形成されている外部ブッシュ部１１１’とからなる。外部ブッシュ部１１１’はまた、インクカートリッジ１２３の前部領域に対して円筒状のガイドセクションを形成する。
【００５６】
図６から図８において、インクガイド１０５は、図１から図５を参照しながらすでに記載した保管位置において示される。この位置では、インクカートリッジ１２３の後端は、旋回軸１１９の周りで旋回し得る閉塞キャップ１２０に固定された固定具または挿入部１３０の端部に対して配置される。この当接によって、保管位置が規定され、インクガイド１０５が筆記位置から保管位置に置き換え移動されるとき、保管位置が達成されたことを知らせる、ユーザによって検出され得る抵抗が生じる。
【００５７】
図６から図８による万年筆は、そのインク室１０１の前端領域において、図１から図５による万年筆の外側ねじに対応する前部外側ねじ１０４だけでなく、さらに、後端領域、即ち、閉塞キャップ１２０が旋回可能に接続するスリーブ部材１１８上に、後部外側ねじ１３１を有する。スリーブ部材１１８は、図１から図５による万年筆のスリーブ部材１８と同様に、回転可能であるが、置き換え移動できないようにインク室１０１に配置されている位置決めスリーブ１１４に回転できないように接続されている。従って、スリーブ部材１８の回転によって、位置決めスリーブ１１４が回転し、それによって、インクガイド１０５は、図１から図５による万年筆に関連して記載したように、置き換え移動される。
【００５８】
図６から図８による万年筆は、クリップ１３６が通常の様式で取り付けられ、同様に通例のシーリング固定具１３８が固定されたカバーキャップ１３５を有する。カバーキャップ１３５は、前端領域に設けられた内側ねじによってインク室１０１の前部外側ねじ１０４にねじ込まれ得る（図７）。図８から理解できるように、内部ねじの外径は、前から後ろへと減少し、このように形成された円錐台の開口角度は１２゜である。前部外側ねじ１０４のコア径は、これに従って、後ろから前にテーパー状になっているのに対して、後部外側ねじ１３１のコア径は一定である。
【００５９】
筆記時にユーザに快適な長さを万年筆に与えるために、カバーキャップ１３５は、後部外側ねじ１３１にねじ込まれる。これは、通常、カバーキャップ１３５がインク室１０１の前端から除去された直後、従って、インク供給部１０５が図示する保管位置にあるときに行われる。カバーキャップ１３５が後部外側ねじ１３１にねじ込まれると、カバーキャップ１３５の内側ねじの「円錐台」の設計の結果、ねじ込みに対する抵抗は、スリーブ部材１１８がカバーキャップ１３５と共に回転し、それによって、位置決めスリーブ１１４がねじられ、インク供給部１０５が筆記位置に向かって前方に置き換え移動される程度に増加するまで増加し続ける。図１から図５を参照しながら記載した筆記位置が達成されると、即ち、インク供給部１０５がさらに前方に置き換え移動されなくなると、通常依然としてユーザによってかけられる力によって、カバーキャップ１３５は、後部外側ねじ１３１にさらにわずかにねじ込まれ、カバーキャップ１３５の「円錐台」の内側ねじと、後部外側ねじ１３１との間のクランプ留めはさらに増強する。
【００６０】
ユーザが、後部外側ねじ１３１に位置するカバーキャップ１３５を回転させることによって、インクガイド１０５を保管位置に移動させる場合、カバーキャップ１３５の内部ねじと、後部外側ねじ１３１との間で優勢なクランプ力によって、インクガイド１０５は、筆記位置から保管位置に置き換え移動されるだけで、カバーキャップ１３５は、スリーブ部材１１８から分離されず、インクガイド１０５を筆記位置と保管位置との間の位置で放置することが確実にされる。カバーキャップ１３５は、インクカートリッジ１２３の後端が閉塞キャップ１２０の固定具１３０に当接することによって、保管位置が達成されたときに、インクガイド１０５のさらなる置き換え移動に対する抵抗が、カバーキャップ１３５の内側ねじと後部外側ねじ１３１との間のクランプ力が克服され、カバーキャップ１３５がはずれるように増加する場合にのみ、後部外側ねじ１３１から分離される。
【００６１】
クランプ作用が、カバーキャップ１３５の内側ねじと、後部外側ねじ１３１との間で比較的大きい場合に、インクガイド１０５が保管位置に移動するときに、インクカートリッジ１２３の後端が閉塞キャップ１２０の固定具１３０に力をかけ、閉塞キャップ１２０が、旋回軸１１９の周りで開口位置方向に置き換え移動される（即ち、正確に規定された保管位置がない）のを防止するために、同軸上に延びる支持ピン１３７は、シーリング固定具１３８に位置する。図６において理解され得るように、カバーキャップ１３５が後部外側ねじ１３１にねじ込まれるとき、支持ピン１３７は、自由端を閉塞キャップ１２０の後面に直接隣接して配置される。このように、支持ピン１３７は、シーリングキャップ１２０が開口位置方向に旋回することを防止し、インクガイド１０５に対する規定された保管位置を確実にする。
【００６２】
支持ピン１３７はまた、カバーキャップ１３５が前部外側ねじ１０４にねじ込まれるとき、前方の置き換え移動に対してインクガイド１０５を固定するようにも作用する（図７）。このため、同軸上のめくらボアはインクガイド、または底面が支持ピン１３７の自由端と対向して位置する切り出しセクション１３９に配置される。ユーザが、カバーキャップ１３５が前部外側ねじ１０４にねじ込まれるとき、閉塞キャップ１２０を回転させることによって、インクガイド１０５を前方に置き換え移動される場合、めくらボアの底面は、支持ピン１３７の自由端に当接するようになり、ペン先１１０の先端がカバーキャップ１３５の基部（この場合、シーリング固定具１３８の基部）と接触し得る前に、インクガイド１０５が筆記位置の方向にさらに置き換え移動するのを阻止する。これによって、ペン先１１０の先端への損傷が回避され、特に、毛管路が形成され、この毛管路を介してペン先１１０からのインクがカバーキャップ１３５の内部に一定して入ることになる、長期にわたるペン先１１０の先端とシーリング固定具１３８の基部との間の接触が防止される。
【００６３】
【発明の効果】
インクカートリッジを容易に交換できるように、後退可能なインクガイドおよびインクガイドと共に後退可能なペン先を有する万年筆が設計される。
【図面の簡単な説明】
【図１】筆記位置にある万年筆の部分断面および部分平面図である。
【図２】保管位置にある万年筆の図１に対応する図である。
【図３】交換位置にある万年筆の図１および図２に対応する図である。
【図４】図１から図３に示す万年筆の位置決めスリーブの断面図である。
【図５】図４に示す位置決めスリーブのねじ配置の展開図である。
【図６】インクガイドが保管位置にあり、カバーキャップが後端にねじ込まれた他の万年筆の断面図である。
【図７】カバーキャップが前端にねじ込まれた図６からの万年筆を示す図である。
【図８】図６に示す万年筆の後部外側ねじのまわりの領域を拡大して示す図である。
【図９】インクカートリッジの後端が閉塞キャップ上に設けられた固定具に当接している、図６からの部分拡大図である。
【符号の説明】
１  インク室
２  開口部
４  外側ねじ
５  インクガイド固定具
５’インクガイドスリーブ
６  ひれ状部
７  突出部
８  管状肩部
９  後部領域
１０  ペン先
１１  ブッシュ部
１２  キャッチ
１３  キャッチ
１４  位置決めスリーブ
１５  カット
１６  カット
１７  スリーブ部
１８  スリーブ部材
１９  旋回軸
２０  閉塞キャップ
２２  スナップリング
【図１】
0003723007.tif 000002
【図２】
0003723007.tif 000003
【図３】
0003723007.tif 000004
【図４】
0003723007.tif 000005
【図５】
0003723007.tif 000006
【図６】
0003723007.tif 000007
【図７】
0003723007.tif 000008
【図８】
0003723007.tif 000009
【図９】
0003723007.tif 000010